【手続補正書】
【提出日】平成30年7月12日(2018.7.12)
【手続補正１】
【補正対象書類名】特許請求の範囲
【補正対象項目名】全文
【補正方法】変更
【補正の内容】
【特許請求の範囲】
【請求項１】
接着性流体複合コアセルベートであって、
水と、
少なくとも１つのポリカチオンと、
少なくとも１つのポリアニオンと、
水中で一価イオンを生成する塩と、
を含み、
前記塩は、塩化ナトリウムであり、
前記接着性流体複合コアセルベート中の前記一価イオンの濃度は、注入部位に存在する前記一価イオンの濃度よりも高い、
接着性流体複合コアセルベート。
【請求項２】
前記複合コアセルベート中の前記一価イオンの濃度は、前記注入部位における前記一価イオンの濃度よりも１．５〜１０倍高い、
請求項１に記載の接着性流体複合コアセルベート。
【請求項３】
前記ポリカチオン対前記ポリアニオンの全体の正電荷／負電荷比は、４〜０．２５であり、
前記複合コアセルベート中の前記一価イオンの濃度は、０．５Ｍ〜２．０Ｍである、
請求項１に記載の接着性流体複合コアセルベート。
【請求項４】
前記ポリカチオンは、ポリアミノ化合物を含み、
前記ポリアミノ化合物は、２つ以上のグアニジニル側鎖を含有する天然ポリマーまたは合成ポリマーを含む、
請求項１に記載の接着性流体複合コアセルベート。
【請求項５】
前記ポリカチオンは、２つ以上のペンダントアミノ基を含むポリアクリレートを含み、
前記ペンダントアミノ基は、アルキルアミノ基、ヘテロアリール基、グアニジニル基、イミダゾール、または１つもしくは複数のアミノ基、第１級アミノ基、第２級アミノ基、第３級アミノ基、もしくは第４級アミンによって置換された芳香族基からなる群から選択される、
請求項１に記載の接着性流体複合コアセルベート。
【請求項６】
前記ポリカチオンは、アクリレート、メタクリレート、アクリルアミドまたはメタクリルアミド骨格と、前記骨格に対するペンダント基である２つ以上のグアニジニル基とを含む合成ポリグアニジニルポリマーである、
請求項１に記載の接着性流体複合コアセルベート。
【請求項７】
前記ポリカチオンは、合成ポリグアニジニルポリマーであり、
前記合成ポリグアニジニルポリマーは、
アクリレート、メタクリレート、アクリルアミド、メタクリルアミド、または、それらの組み合わせからなる群から選択されるモノマーのコポリマーと、
次の式Ｉの化合物、または、その薬学的に許容可能な塩と、
を含み、
【化１】
2017529118.tif 000001
前記式Ｉにおいて、Ｒ１は水素またはアルキル基であり、Ｘは酸素またはＮＲ５であり、ここでＲ５は水素またはアルキル基であり、ｍは１〜１０である、
請求項１に記載の接着性流体複合コアセルベート。
【請求項８】
前記ポリカチオンは、前記式Ｉの化合物とメタクリルアミドとの重合生成物を含む、
請求項７に記載の接着性流体複合コアセルベート。
【請求項９】
Ｒ１はメチル基であり、ＸはＮＨであり、ｍは３である、
請求項７に記載の接着性流体複合コアセルベート。
【請求項１０】
前記ポリカチオンは、キトサンである、
請求項１に記載の接着性流体複合コアセルベート。
【請求項１１】
前記ポリアニオンは、ポリホスフェートを含む、
請求項１に記載の接着性流体複合コアセルベート。
【請求項１２】
前記ポリアニオンは、無機ポリホスフェートまたはリン酸化糖である、
請求項１に記載の接着性流体複合コアセルベート。
【請求項１３】
前記ポリアニオンは、無機ポリホスフェートである、
請求項１に記載の接着性流体複合コアセルベート。
【請求項１４】
前記ポリアニオンは、ヘキサメタリン酸塩を含む、
請求項１に記載の接着性流体複合コアセルベート。
【請求項１５】
前記ポリアニオンは、イノシトール６リン酸である、
請求項１に記載の接着性流体複合コアセルベート。
【請求項１６】
前記ポリアニオンは、ホスフェート基および／またはホスホネート基を含む、
請求項１に記載の接着性流体複合コアセルベート。
【請求項１７】
前記ポリアニオンは、２つ以上のペンダントホスフェートまたはホスホネート基を含むポリアクリレートを含む、
請求項１に記載の接着性流体複合コアセルベート。
【請求項１８】
前記ポリアニオンは、ホスフェートまたはホスホネートアクリレートおよび／またはホスフェートまたはホスホネートメタクリレートと、１つまたは複数の付加的な重合性モノマーとの間の共重合生成物である、
請求項１に記載の接着性流体複合コアセルベート。
【請求項１９】
造影剤または可視化剤をさらに含む、
請求項１に記載の接着性流体複合コアセルベート。
【請求項２０】
前記造影剤は、タンタル粒子、金粒子、またはヨウ素を含む、
請求項１９に記載の接着性流体複合コアセルベート。
【請求項２１】
強化成分をさらに含む、
請求項１に記載の接着性流体複合コアセルベート。
【請求項２２】
前記強化成分は、天然もしくは合成繊維、水不溶性充填粒子、ナノ粒子、または、マイクロ粒子を含む、
請求項２１に記載の接着性流体複合コアセルベート。
【請求項２３】
１つまたは複数の生物活性剤をさらに含む、
請求項１に記載の接着性流体複合コアセルベート。
【請求項２４】
前記生物活性剤は、抗生物質、鎮痛剤、免疫調節因子、成長因子、酵素阻害剤、ホルモン、メディエーター、メッセンジャー分子、細胞シグナル伝達分子、受容体アゴニスト、腫瘍溶解剤、化学療法剤、または受容体アンタゴニスト、核酸、またはこれらの任意の組み合わせを含む、
請求項２３に記載の接着性流体複合コアセルベート。
【請求項２５】
前記ポリカチオンは、合成ポリグアニジニルポリマーであり、
前記合成ポリグアニジニルポリマーは、
アクリレート、メタクリレート、アクリルアミド、メタクリルアミド、または、それらの組み合わせからなる群から選択されるモノマーと、
次の式Ｉの化合物、または、その薬学的に許容可能な塩と、
の重合生成物を含み、
【化２】
2017529118.tif 000002
前記式Ｉにおいて、Ｒ１は水素またはアルキル基であり、Ｘは酸素またはＮＲ５であり、ここでＲ５は水素またはアルキル基であり、ｍは３であり、
前記ポリアニオンは、ヘキサメタリン酸ナトリウムを含み、
前記ポリカチオン溶液対前記ポリアニオンの全体の正電荷／負電荷比は、０．９５〜１．１０であり、
前記接着性流体複合コアセルベート中の塩化ナトリウムの濃度は、０．５Ｍ〜２．０Ｍである、
請求項１に記載の接着性流体複合コアセルベート。
【請求項２６】
前記式Ｉの化合物は、塩酸塩である、
請求項２５に記載の接着性流体複合コアセルベート。
【請求項２７】
前記注入部位は、血管内である、
請求項１に記載の接着性流体複合コアセルベート。
【請求項２８】
被験者内で接着性固体をその場で生成するための方法であって、
請求項１に記載の接着性流体複合コアセルベートを前記被験者に導入するステップを含み、
前記接着性流体複合コアセルベートが前記被験者に導入されると、前記接着性固体がその場で生成される、
方法。
【請求項２９】
前記被験者の血管内の血流を低減または阻害するために、前記接着性流体複合コアセルベートを前記血管内へ導入するステップを含み、
前記接着性流体複合コアセルベートから生成される前記接着性固体は、前記血管内に人工塞栓を形成する、
請求項２８に記載の方法。
【請求項３０】
創傷からの出血を阻害するために、前記接着性流体複合コアセルベートを前記創傷に適用させるステップを含む、
請求項２８に記載の方法。
【請求項３１】
請求項１に記載の接着性流体複合コアセルベートを含む、ペンキ。